(57)【要約】【課題】簡単な構成で、しかも、毛布への取り付け、取り外しが容易で、必用に応じて簡単に毛布に取り付けて、毛布を掛けて就寝している際に襟元から冷たい空気が入り込むことを効果的に防止できる保温布及びこれを用いた掛け寝具を提案する。【解決手段】長手方向に延びる長辺と、当該長辺に直交する方向に延びる短辺とを有する矩形の毛布の上側面又は下側面に取り付け、取り外し可能な布状体からなる保温布であって、前記毛布の上側面又は下側面に取り付けた際に、前記毛布の一方の短辺から前記毛布の長手方向に延びて突出する襟元覆い布部を備えていることを特徴とする毛布用の保温布。【選択図】図１
0003161806.tif 000002
【実用新案登録請求の範囲】
【請求項１】
長手方向に延びる長辺と、当該長辺に直交する方向に延びる短辺とを有する矩形の毛布の上側面又は下側面に取り付け、取り外し可能な布状体からなる保温布であって、前記毛布の上側面又は下側面に取り付けた際に、前記毛布の一方の短辺から前記毛布の長手方向に延びて突出する襟元覆い布部を備えていることを特徴とする毛布用の保温布。
【請求項２】
前記保温布は、前記毛布の上側面又は下側面に取り付けた際に、前記毛布の他方の短辺に対応する側の端縁が、前記毛布の他方の短辺まで延びる大きさを有していることを特徴とする請求項１記載の毛布用の保温布。
【請求項３】
前記襟元覆い布部は複数枚の布体が積層されてなることを特徴とする請求項１又は２記載の毛布用の保温布。
【請求項４】
前記保温布を前記毛布の上側面又は下側面に取り付けた際に前記保温布が取り付けられる前記毛布の上側面又は下側面の前記襟元覆い布部が突出する側の前記一方の短辺の近傍に対向する前記保温布の面に保温布側取付手段が配備されていることを特徴とする請求項１乃至３のいずれか一項記載の毛布用の保温布。
【請求項５】
長手方向に延びる長辺と、当該長辺に直交する方向に延びる短辺とを有する矩形の毛布の上側面又は下側面に請求項１乃至３のいずれか一項記載の毛布用の保温布が取り付けられ、前記毛布の一方の短辺から前記襟元覆い布部が前記毛布の長手方向に延びて突出していることを特徴とする掛け寝具。
【考案の詳細な説明】
【技術分野】
【０００１】  この考案は、毛布に取り付けて使用される保温布及びこれを用いた掛け寝具に関する。
【背景技術】
【０００２】  従来から、毛布や掛け布団などと併用して就寝時の保温効果を高めるものが種々提案されている。【０００３】  例えば、特許文献１には、掛寝具のカバーを構成している布に保温性及び、肌ざわりの良い素材を用い、その形状を使用時枕側に位置する箇所に布延長部が形成されているものにし、この布延長部をカバー部より切り離し、面ファスナー等で着脱可能にした提案が行われている。
【先行技術文献】
【０００４】
【特許文献】
【特許文献１】実用新案登録第３１５１２５５号公報
【考案の概要】
【考案が解決しようとする課題】
【０００５】  就寝中に毛布や、掛け布団などを使用している場合、襟元の気密性が不足することがある。このような場合に、襟元の気密性を向上させ、襟元などから冷たい空気が入り込むことを効果的に防止するもの、特に、必用に応じて使用することができ、不要になれば簡単に片付け、洗濯などができるものは提案されていななかった。【０００６】  この考案は、簡単な構成で、しかも、毛布への取り付け、取り外しが容易で、必用に応じて簡単に毛布に取り付けて、毛布を掛けて就寝している際に襟元から冷たい空気が入り込むことを効果的に防止できる、保温布及びこれを用いた掛け寝具を提案することを目的にしている。
【課題を解決するための手段】
【０００７】  前記目的を達成するため本願は以下の考案を提案するものである。【０００８】  請求項１記載の考案は、
長手方向に延びる長辺と、当該長辺に直交する方向に延びる短辺とを有する矩形の毛布の上側面又は下側面に取り付け、取り外し可能な布状体からなる保温布であって、前記毛布の上側面又は下側面に取り付けた際に、前記毛布の一方の短辺から前記毛布の長手方向に延びて突出する襟元覆い布部を備えていることを特徴とする毛布用の保温布である。【０００９】  請求項２記載の考案は、
前記保温布は、前記毛布の上側面又は下側面に取り付けた際に、前記毛布の他方の短辺に対応する側の端縁が、前記毛布の他方の短辺まで延びる大きさを有していることを特徴とする請求項１記載の毛布用の保温布である。【００１０】  請求項３記載の考案は、
前記襟元覆い布部は複数枚の布体が積層されてなることを特徴とする請求項１又は２記載の毛布用の保温布である。【００１１】  請求項４記載の考案は、
前記保温布を前記毛布の上側面又は下側面に取り付けた際に前記保温布が取り付けられる前記毛布の上側面又は下側面の前記襟元覆い布部が突出する側の前記一方の短辺の近傍に対向する前記保温布の面に保温布側取付手段が配備されていることを特徴とする請求項１乃至３のいずれか一項記載の毛布用の保温布である。【００１２】  請求項５記載の考案は、
長手方向に延びる長辺と、当該長辺に直交する方向に延びる短辺とを有する矩形の毛布の上側面又は下側面に請求項１乃至３のいずれか一項記載の毛布用の保温布が取り付けられ、前記毛布の一方の短辺から前記襟元覆い布部が前記毛布の長手方向に延びて突出していることを特徴とする掛け寝具である。
【考案の効果】
【００１３】  この考案によれば、簡単な構成で、しかも、毛布への取り付け、取り外しが容易で、必用に応じて簡単に毛布に取り付けて、毛布を掛けて就寝している際に襟元から冷たい空気が入り込むことを効果的に防止できる、保温布及びこれを用いた掛け寝具を提案することができる。
【図面の簡単な説明】
【００１４】
【図１】（ａ）本考案の保温布が毛布の下側面に取り付けられる状態の一例を説明する斜視図、（ｂ）本考案の保温布が毛布の下側面に取り付けられて本考案の掛け寝具が構成された場合の一例を説明する斜視図、（ｃ）図１（ｂ）図示の状態から更に上側に掛け布団が掛けられた状態の一例を説明する斜視図。
【図２】（ａ）本考案の他の保温布が毛布の下側面に取り付けられて本考案の他の掛け寝具が構成された場合の一例を説明する斜視図、（ｂ）図２（ａ）の一部を省略した断面図、（ｃ）他の実施形態における図２（ｂ）に対応する一部を省略した断面図。
【考案を実施するための形態】
【００１５】  以下、添付図面を参照して本考案の好ましい実施例を説明する。
【００１６】  図１（ａ）は、本考案の保温布２が毛布１の下側面に取り付けられる状態の一例を説明する斜視図である。
【００１７】  毛布１は、長手方向に延びる長辺と、この長辺に直交する方向に延びる短辺９、１０とを有する矩形である。
【００１８】  本考案の保温布２は、毛布１の上側面又は下側面に取り付け、取り外し可能な布状体からなる。
【００１９】  図１、図２では、毛布１の下側面に本考案の保温布が取り付け、取り外し可能になっている例を説明する。これに替えて、毛布１の上側面に本考案の保温布が取り付け、取り外し可能になっている構造にすることも可能である。
【００２０】  保温布２は、図１（ａ）中、符号２ａで示す部分と、符号２ｂで示す部分とを備えている。符号２ａで示す部分は、毛布１の上側面又は下側面に保温布２を取り付けた際に、毛布１の一方の短辺９から毛布１の長手方向に延びて突出する襟元覆い布部になる。
【００２１】  図１図示の実施形態では、保温布２は、毛布１の上側面又は下側面に取り付けた際に、毛布１の他方の短辺１０に対応する側の端縁１２が、毛布１の他方の短辺１０まで延びる大きさを有している。
【００２２】  このような構造に替えて、図２図示のように、毛布１の上側面又は下側面に取り付けた際に、保温布４の、毛布１の他方の短辺１０に対応する側の端縁１４が、毛布１の他方の短辺１０まで延びずに途中で終端している構造にすることもできる。
【００２３】  図１、図２図示のいずれの形態であっても、毛布１の一方の短辺９から毛布１の長手方向に延びて突出する襟元覆い布部２ａが備えられていることにより、この保温布２、あるいは保温布４と毛布１とで構成される図１（ｂ）、図２（ａ）図示の本発明の掛け寝具を掛けて就寝している者は、襟元覆い布部２ａで襟元部を覆うことができる。
【００２４】  これによって、襟元部から冷たい空気が入り込むことを防止でき、就寝中に、首部、肩部の保温を図ることができる。また、襟元覆い布部２ａが配備されていることによって、毛布１の襟元側にあたる短辺９側が汚れることを防止できる。
【００２５】  なお、図１図示の構造にすれば、毛布１の全面に渡って、その上側面あるいは、下側面に保温布２の符号２ｂで示される部分が配備されているので、襟元部から冷気が入り込むのを防止することに加えて、毛布１で覆われている領域全体の保温性を高めることができる。
【００２６】  一方、図２図示の構造の場合には、図１に符号２ｂで示されている部分が存在しないため、取り付け、取りはすしが図１図示の構造の場合よりも簡単で、使い勝手の良いものになり、取り外して洗濯を行なう場合などにも有利である。
【００２７】  図１（ａ）図示の実施形態では毛布１の下側面に取り付けられる保温布２は、取り付けられる側（上側面）に、保温布側取付手段である面ファスナー３ａ、３ｂ、３ｃ、３ｄを備えている。
【００２８】  一方、図示していないが、毛布１の下側面の対応する箇所にも面ファスナーが配備されている。
【００２９】  毛布１の保温布２が取り付けられる上側面又は下側面の、襟元覆い布部２ａが突出する側の一方の短辺９の近傍に、保温布２側の面ファスナー３ａ、３ｂに対応させて、保温布２を取り付ける毛布側取付手段（面ファスナー）を配備しておくだけの構造にすることもできる。
【００３０】  しかし、図１図示の実施形態のように、保温布２の符号２ｂで示される部分の端縁１２が、毛布１の他方の短辺１０まで延びる大きさを有している場合には、毛布１の他方の短辺１０の近傍にも、保温布２側の面ファスナー３ｃ、３ｄに対応させて、保温布２を取り付ける毛布側取付手段（面ファスナー）を配備しておくと、取扱上便利である。
【００３１】  図２図示の実施形態では、図１において符号２ｂで示されている部分の大きさが小さくなっている。
そして、保温布４を毛布１の下側面に取り付けた際に保温布４が取り付けられる毛布１の下側面の襟元覆い布部２ａが突出する側の一方の短辺９の近傍に対向する保温布４の面に保温布側取付手段（面ファスナー８）が配備されている。
一方、保温布４を毛布１の下側面に取り付けた際に保温布４が取り付けられる毛布１の下側面の襟元覆い布部２ａが突出する側の一方の短辺９の近傍には、保温布側取付手段（面ファスナー７）に対向して毛布側取付手段（面ファスナー７）が配備されている。
そこで、毛布１と保温布４との取り付け、取り外しは、毛布側取付手段（面ファスナー７）と、保温布側取付手段（面ファスナー８）とによって行われている。
なお、前記において、毛布側取付手段、保温布側取付手段として面ファスナーに替えてスナップボタン、ホックなどを用いることもできる。
【００３２】  図１において符号２ｂで示されている部分の大きさが小さい図２図示の構造の方が、毛布１への取り付け、取り外しが容易であり、取り外して洗濯を行なうにも便利である。
【００３３】  また、図２（ｃ）図示のように、保温布４の符号１４で示される側の端縁に接続辺５を介してもう一枚の保温布６が保温布４の下側に積層されるようにすれば保温性をより高めることができるので有利である。
【００３４】  図１図示の実施形態においても、保温布２の襟元覆い布部２ａが上下に複数枚積層されている構造にすれば、保温性をより高めることができるので有利である。この場合、保温布２の符号２ｂで示される領域を単層にしておいて、襟元覆い布部２ａの領域のみを複数枚の襟元覆い布部２ａが上下に複数積層されている構造にすることもできる。
【００３５】  保温布２、４、６は上述したように、毛布１に取り付けて毛布１と共に掛け寝具として使用する際に、就寝している者の襟元を覆い、冷気が入ることを防ぐことができるものであれば十分であるので、種々の材質のもの、例えば、フリースなどを用いることができる。
【００３６】  図１（ｃ）は、毛布１と保温布２とで図１（ｂ）図示のように本発明の掛け寝具とした後、その上に、更に掛け布団１５を掛けて使用している状態を説明する斜視図である。
【００３７】  このように本考案は、毛布１と保温布とで本発明の掛け寝具とする場合であっても、図１に図示した保温布２を使用する場合、図２（ａ）及び（ｂ）に図示した保温布４を使用する場合とで、保温効果を異ならせることができ、更に、保温布の、特に、襟元覆い布部２ａを上下に積層させるか否かで、保温効果を調整することができる。また、必用に応じて、図１（ｃ）図示のように、上側に掛け布団１５を掛けて保温効果を調整することができる。
【符号の説明】
【００３８】１  毛布
２、４、６  保温布
２ａ  襟元覆い布部
３ａ、３ｂ、３ｃ、３ｄ  保温布側取付手段（面ファスナー）
７  毛布側取付手段（面ファスナー）
８  保温布側取付手段（面ファスナー）
９  毛布の一方の短辺
１０  毛布の他方の短辺
１２  毛布の他方の短辺に対応する側の保温布の端縁
１５  掛け布団
【図１】
0003161806.tif 000003
【図２】
0003161806.tif 000004